(57)【特許請求の範囲】
【請求項１】
エレベータ据え付けに際して昇降路内に仮垂設する左右一対の芯出用基準線を係合する目安部を備えたゲージ部を一側面側に、昇降路内に垂設すべきガイドレールを挟持固定するチャック部を他側面側に、それぞれ所定幅長さの本体部の両端側に配設してなる芯出し治具であって、前記目安部は凹部とその周囲に施されて延長線が交叉する線状の複数のマークとからなるとともに、前記ゲージ部が前記チャック部とは別に本体部から脱着可能に構成され、且つ当該ゲージ部の取付位置が前記チャック部に対する接離方向で調整可能になっていることを特徴とする芯出し治具。
【請求項２】
凹部はＵ字形又は二等辺三角形の切欠部からなることを特徴とする請求項１記載の芯出し治具。
【請求項３】
ゲージ部は透明板からなり、前記本体部に設けた目盛りと交叉する目盛りが形成されていることを特徴とする請求項１又は２記載の芯出し治具。
【発明の詳細な説明】
【０００１】
【発明の属する技術分野】
本発明はエレベータ据え付けに際しカーフレームやカウンターウエイトのガイドレールを昇降路内に設置するための芯出し治具に関するものである。
【０００２】
【従来の技術】
エレベータは建物内に設けられた昇降路内に左右一対のガイドレールを設置してそのガイドレールに沿って昇降するカーフレームにエレベータかごを搭載したものである。また、このエレベータかごの下降に伴い上昇するカウンターウエイトを昇降路内において左右一対のガイドレールで昇降可能に設置している。したがって、合計４本のガイドレールの設置工事が必要であり、その工事に際しては芯出しが行われる。芯出しは、図４に示すように、昇降路１の上部及び下部にテンプレート１０，１１を配設し、上部のテンプレート１０から下部のテンプレート１１に向けてピアノ線等の芯出基準線７，８，９を仮垂設する。
【０００３】
芯出基準線７，８，９はガイドレール４，５用の４本のほかに、カーフレーム２の前部（ステップ側）に２本必要であり、図５に示すように、合計６本を設置している。これらの芯出基準線７，８，９は、ガイドレール４，５になるべく近接した位置、及びカーフレーム２の前部で出入り口Ｅ側に接近した位置で、それぞれ垂下するように配置している。なお、図４において１２は昇降路上部の機械室、また図５において３はカウンターウエイト、６はレールブラケットを示す。
【０００４】
【発明が解決しようとする課題】
しかしながら、芯出基準線７，８，９の仮垂設工事には、昇降路上部と下部にテンプレート１０，１１を配置しその所定部位を基準として６本の芯出基準線７，８．９を垂下させることととして来たのであるが、エレベータにあっては昇降路最上部にウインチを取り付けなければならいこと、Ｏ／Ｈ部回りに機器が取り付けられているため、昇降路上部にテンプレートを作成するに当たり、ウインチ及びＯ／Ｈ部回りの機器と干渉し、作業上の効率が非常に悪いという不都合があった。
【０００５】
また、昇降路が短かければともかく、近時の高層建物の場合には昇降路も長く、しかも建物自体が風等のために常に揺れている関係上、昇降路上部から下部に垂設した芯出基準線も常に揺動することとなり、芯出し作業性は著しく効率が低下するという不都合がある。
【０００６】
そこで、本発明は上記のような不都合を解決するため、芯出基準線の垂下位置を、昇降路最上部のウインチや最上部のＯ／Ｈ部回りの機器と干渉することがなくてガイドレールから離れた位置に垂設することとし、しかも、昇降路の長い場合でも精確なガイドレールの芯出しが可能な芯出し治具を提供する。
【０００７】
【課題を解決するための手段】
上記課題を解決するため、本発明は請求項１記載のように、エレベータ据え付けに際して昇降路内に仮垂設する左右一対の芯出用基準線を係合する目安部を備えたゲージ部を一側面側に、昇降路内に垂設すべきガイドレールを挟持固定するチャック部を他側面側に、それぞれ所定幅長さの本体部の両端側に配設してなる芯出し治具であって、前記目安部は凹部とその周囲に施されて延長線が交叉する線状の複数のマークとからなるとともに、前記ゲージ部が前記チャック部とは別に本体部から脱着可能に構成され、且つ当該ゲージ部の取付位置が前記チャック部に対する接離方向で調整可能になっていることを特徴とする芯出し治具を提供する。
【０００８】
前記凹部は、請求項２記載のように、Ｕ字形又は二等辺三角形の切欠部からなることとしてもよく、また、前記ゲージ部は、請求項３記載のように、透明板からなり、前記本体部に設けた目盛りと交叉する目盛りが形成されていることとしてもよい。
【０００９】
したがって、チャック部でガイドレールを両端部に把持した本体部と一体のゲージ部の凹部内に芯出基準線が常に中心位置となるように移動させながら、ガイドレールを昇降路内に設置することができ、しかも、芯出基準線の位置を従来の配置とは異ならしめることができるので、エレベータの施工に最も適するものである。
【００１０】
【発明の実施の形態】
本発明の芯出し治具は、図１に示すように、本体部４０はＩ字形部材からなり、その両端部に翼状部材４１，４１を平行に配置してそれら翼状部材４１，４１の一側にチャック部４２，４２を、他側部にゲージ部４３，４３を配設してなる芯出し治具Ｂである。
【００１１】
チャック部４２は、図２に詳細を示すように、コ字形部材５０を翼状部材４１に結合してその内側面がガイドレール２０の一方の突起部側面２６に当接し、他方の突起部側面３４にコマ４５が当接するように配置し、かつ、コマ４５にはテーパー面４８で摺動可能にコマ４９が当接してコマ４５を突起部側面３４に押し付けるように配設したものであって、コマ４９の調節ネジ４７はハンドル４４にて回転自在でコマ４９を進退自在となし、コマ４５の軸棒４６はコ字形部材５０に進退可能に挿通している。したがって、ガイドレール２０を把持する構造は前記例とほぼ同じ構成であり、その作用もほぼ同じである。
【００１２】
ゲージ部４３は、図２に詳細を示すように、Ｌ字形透明板５２にＶ字形の切欠部５３を設け、その切欠部周囲に複数のマーク５４を施して目安部を形成するとともに、位置決め用穴５５，５５を開設したものを、それらの位置決め用穴５５，５５に円盤５８を有するボルト５９で翼状部材４１に着脱可能に固定するものである。マーク５４ａは延長して目盛り５６を施こすとともに、この目盛り５６と交叉する目盛り５７が翼状部材４１に施されている。したがって、目盛り５６，５７を目安として翼状部材４１におけるＬ字形透明板５２の正確な位置決めができる。
【００１３】
この芯出し治具Ｂを用いてガイドレール２０，２０の芯出しをするには、図３に示すように、チャック部４３，４３でガイドレール２０，２０を把持した後、昇降路内に垂設された一対の芯出基準線７０，７０を切欠部５３，５３内に係合させ、かつ、それらが切欠部５３，５３に触れることなく、複数のマーク５４の交点に位置するように、ガイドレール２０，２０を把持した芯出し治具Ｂを移動せしめることにより、ガイドレール２０，２０の正確な位置決めができる。したがって、ゲージ部４３はチャック部４２から適宜離間させることができるので、芯出基準線７０，７０はガイドレール２０，２０から少なくとも従来よりも離れた位置に垂設できるというものである。
【００１４】
かくして、チャック部４２でガイドレール２０を両端部に把持した本体部４０と一体のゲージ部４３の切欠部５３内に芯出基準線７０が常に中心位置となるように目安部７１，７１で目視確認しながら芯出し治具Ｂを移動させることで、ガイドレール２０を昇降路内に正確に設置することができ、しかも、芯出基準線７０の位置を従来の昇降路内位置とは異なる配置にすることができるので、エレベータの施工に最も適する。
【００１５】
【発明の効果】
以上説明したこの発明によれば、チャック部でガイドレールを両端部に把持した本体部と一体のゲージ部の、目安部に芯出基準線が常に中心位置となるように目視確認しつつ芯出し治具を移動させ、ガイドレールを昇降路内に正確に設置することができ、しかも、芯出基準線の位置を従来の配置とは異ならしめることができるので、従来必要とした大掛かりなテンプレートが小規模のもので足るようになり、また、ゲージ部の切欠部内に芯出基準線を係合させるので、建物が揺れて芯出基準線が揺れても切欠部から外れることがない。さらに、ゲージ部は本体部から脱着できるので微調整ができ、また目盛りを有する透明板からなるので微調整の精確性を保証できる。そのため、エレベータ据え付けの作業性の向上と時間短縮を図ることができ、コスト低減をもたらす。
【図面の簡単な説明】
【図１】本発明の実施の第１形態を示す平面図。
【図２】図２の部分斜視図。
【図３】芯出し行程を示す斜視図。
【図４】従来の芯出し行程を示す昇降路の破断斜視図。
【図５】図４の横断平面図。
【符号の説明】
Ｂ…芯出し治具
２０…ガイドレール
４０…本体部
４２…チャック部
４３…ゲージ部
５３…切欠部
５４，５４ａ…マーク
５５…位置決め用穴
５６，５７…目盛り
５８…円盤
５９…ボルト
７０…芯出基準線
７１…目安部
【図１】
0004588827.tif 000002
【図２】
0004588827.tif 000003
【図３】
0004588827.tif 000004
【図４】
0004588827.tif 000005
【図５】
0004588827.tif 000006